(57)【要約】【課題】１本の光ファイバテープ心線３から２本の分割ファイバテープ心線５に分離する他に、２本の分割ファイバテープ心線５を２本の光ファイバ心線９にそれぞれ単心分離する。【解決手段】一対の工具ベース２５，２７を閉じることにより分離刃３５によって第１支持溝３１に支持された光ファイバテープ心線３における被覆層７の中央部に対して切込みを与える第１調節状態と、一対の工具ベース２５，２７を閉じることにより分離刃３５によって第２支持溝３３に支持された１／２光ファイバテープ心線３ｈにおける被覆層７，１１の中央部に対して切込みを与える第２調節状態とに切替え可能に構成した。【選択図】　　　図１
2004070060.tif 000002
【特許請求の範囲】
【請求項１】
２ｎ（ｎは２以上の整数）本の光ファイバ心線を並べて被覆層によりテープ状に一体化した光ファイバテープ心線を分離するために用いられるテープ心線用分離工具において、
開閉可能な一対の工具ベースと、
前記一対の工具ベースのうち一方の工具ベースに設けられ、前記光ファイバテープ心線を支持する第１支持溝と、
前記一方の工具ベースにおける前記第１支持溝の溝底の中央部に設けられ、前記光ファイバテープ心線の心線幅のほぼ半分の心線幅を有した１／２光ファイバテープ心線を支持する第２支持溝と、
前記一対の工具ベースのうち他方の工具ベースに設けられた分離刃とを備えてあって、
前記一対の工具ベースを閉じることにより前記分離刃によって前記第１支持溝に支持された前記光ファイバテープ心線における前記被覆層の中央部に対して切込みを与える第１調節状態と、前記一対の工具ベースを閉じることにより前記分離刃によって前記第２支持溝に支持された前記１／２光ファイバテープ心線における前記被覆層の中央部に対して切込みを与える第２調節状態とに切替え可能に構成してなることを特徴とするテープ心線用分離工具。
【請求項２】
４本の光ファイバ心線を並べて被覆層によりテープ状に一体化した光ファイバテープ心線を分離するために用いられるテープ心線用分離工具において、
開閉可能な一対の工具ベースと、
前記一対の工具ベースのうち一方の工具ベースに設けられ、前記光ファイバテープ心線を支持する第１支持溝と、
前記一方の工具ベースにおける前記第１支持溝の底底の中央部に設けられ、前記光ファイバテープ心線の心線幅のほぼ半分の心線幅を有した１／２光ファイバテープ心線を支持する第２支持溝と、
前記一対の工具ベースのうち他方の工具ベースに設けられた分離刃とを備えてあって、
前記一対の工具ベースを閉じることにより前記分離刃によって前記第１支持溝に支持された前記光ファイバテープ心線における前記被覆層の中央部に対して切込みを与える第１調節状態と、前記一対の工具ベースを閉じることにより前記分離刃によって前記第２支持溝に支持された前記１／２光ファイバテープ心線における前記被覆層の中央部に対して切込みを与える第２調節状態とに切替え可能に構成してなることを特徴とするテープ心線用分離工具。
【請求項３】
前記第１調節状態と前記第２調節状態に切替え可能にするため、前記分離刃の前記他方の工具ベースの取付面に対する突出量を調節可能に構成してなることを特徴とする請求項１又は請求項２に記載のテープ心線用分離工具。
【請求項４】
前記第１調節状態と前記第２調節状態に切替え可能にするため、前記一対の工具ベースを閉じたときにおける前記他方の工具ベースの前記一方の工具ベースに対する閉位置を調節可能に構成してなることを特徴とする請求項１又は請求項２に記載のテープ心線用分離工具。
【発明の詳細な説明】
【０００１】
【発明の属する技術分野】
本発明は、２ｎ（ｎは１以上の整数）本の光ファイバ心線を並べて被覆層によりテープ状に一体化した光ファイバテープ心線を分離するために用いられるテープ心線用分離工具に関する。
【０００２】
【従来の技術】
従来のテープ心線用分離工具について図面を参照して説明する。
【０００３】
図３は、光ファイバテープ心線の断面図であって、図４は、従来のテープ心線用分離工具の正面図であって、図５は、従来のテープ心線用分離工具の要部を示す図である。
【０００４】
図４及び図５に示すように、従来のテープ心線用分離工具１は、光ファイバテープ心線３（図３参照）を２つに分離するために用いられる工具である。ここで、光ファイバテープ心線３は、図３に示すように、分割型光ファイバテープ心線であって、２本の１／２光ファイバテープ心線としての分割ファイバテープ心線５を一括被覆層７により一体化してあって、更に各分割ファイバテープ心線５は２本の光ファイバテープ心線９を分割一括被覆層１１によりそれぞれ一体化してある。
【０００５】
テープ心線用分離工具１は一対の工具ベース１３，１５を備えてあって、一方の工具ベース１３の基部と他方の工具ベース１５基部は連結軸１７によって連結されている。なお、図示は省略してあるが、一対の工具ベース１３，１５は図示省略のスプリングによって開方向へ付勢されている。
【０００６】
また、一方の工具ベース１５の先端側には光ファイバテープ心線３を支持する支持溝１９が設けられおり、他方の工具ベース１３の先端側には分離刃２１が設けられている。ここで、分離刃２１は、一対の工具ベース１３，１５を閉じたときに支持溝１９に支持された光ファイバテープ心線３における一括被覆層７の中央部に対して切込みを与えることできるように構成してある。
【０００７】
従って、光ファイバテープ心線３を支持溝１９に支持させる。そして、一対の工具ベース１３，１５を閉じることにより分離刃２１によって光ファイバテープ心線３における一括被覆層７の中央部に切込みを与える。これによって、１本の光ファイバテープ心線３から２本の１／２光ファイバテープ心線３ｈ（図１（ｂ）参照）に分離することができる。ここで、この従来技術の説明において、１／２光ファイバテープ心線３ｈとは、一括被覆層７を備えた分割ファイバテープ心線５のことをいい、光ファイバテープ心線３の心線幅のほぼ半分の心線幅を有している。
【０００８】
【発明が解決しようとする課題】
ところで、従来のテープ心線用分離工具１は１本の光ファイバテープ心線３を２本の１／２光ファイバテープ心線３ｈに分離するができるが、１／２光ファイバテープ心線３ｈを更に２本の光ファイバ心線９に分離することができない。そのため、１／２光ファイバテープ心線３ｈを２本の光ファイバ心線９に分離する場合にはテープ心線用分離工具１を別の種類のテープ心線用分離工具に交換してテープ心線の分離作業を続行する必要があって、工具コストが高くなると共に、工具交換に要する時間によってテープ心線の分離作業が煩雑化するという問題がある。
【０００９】
【課題を解決するための手段】
請求項１に記載の発明にあっては、２ｎ（ｎは２以上の整数）本の光ファイバ心線を並べて被覆層によりテープ状に一体化した光ファイバテープ心線を分離するために用いられるテープ心線用分離工具において、
開閉可能な一対の工具ベースと、
前記一対の工具ベースのうち一方の工具ベースに設けられ、前記光ファイバテープ心線を支持する第１支持溝と、
前記一方の工具ベースにおける前記第１支持溝の底溝の中央部に設けられ、前記光ファイバテープ心線の心線幅のほぼ半分の心線幅を有した１／２光ファイバテープ心線を支持する第２支持溝と、
前記一対の工具ベースのうち他方の工具ベースに設けられた分離刃とを備えてあって、
前記一対の工具ベースを閉じることにより前記分離刃によって前記第１支持溝に支持された前記光ファイバテープ心線における前記被覆層の中央部に対して切込みを与える第１調節状態と、前記一対の工具ベースを閉じることにより前記分離刃によって前記第２支持溝に支持された前記１／２光ファイバテープ心線における前記被覆層の中央部に対して切込みを与える第２調節状態とに切替え可能に構成してなることを特徴とする。
【００１０】
請求項１に記載の発明特定事項によると、前記光ファイバテープ心線を前記第１支持溝に支持させる。そして、前記テープ心線用分離工具が前記第１調節状態の下で、前記一対の工具ベースを閉じることにより前記分離刃によって前記光ファイバテープ心線における前記被覆層の中央部に切込みを与える。これによって、１本の前記光ファイバテープ心線から２本の前記１／２光ファイバテープ心線に分離することができる。なお、前記光ファイバテープ心線における前記被覆層の中央部に切込みを与えた後に、前記一対の工具ベースを開いておく。以上により、第１分離工程が終了する。
【００１１】
前記第１分離工程が終了した後に、前記テープ心線用分離工具を前記第１調節状態から前記第２調節状態に切替える。また、前記２本の１／２光ファイバテープ心線のうち一方の１／２光ファイバテープ心線を前記第２支持溝に支持させる。そして、前記一対の工具ベースを閉じることにより前記分離刃によって前記一方の１／２光ファイバテープ心線における前記被覆層の中央部に切込みを与える。更に、前記２本の１／２光ファイバテープ心線のうち他方の１／２光ファイバテープ心線に対しても同様の作用を施す。これによって、前記２本の１／２光ファイバテープ心線を２本の心線（テープ心線又は前記光ファイバ心線）にそれぞれ分離することができ、換言すれば、前記光ファイバテープ心線を４本の前記心線に分離することができる。なお、前記１／２光ファイバテープ心線における前記被覆層の中央部に切込みを与えた後に、前記一対の工具ベースを開いておく。以上により、第２分離工程が終了する。
【００１２】
請求項２に記載の発明にあっては、４本の光ファイバ心線を並べて被覆層によりテープ状に一体化した光ファイバテープ心線を分離するために用いられるテープ心線用分離工具において、
開閉可能な一対の工具ベースと、
前記一対の工具ベースのうち一方の工具ベースに設けられ、前記光ファイバテープ心線を支持する第１支持溝と、
前記一方の工具ベースにおける前記第１支持溝の底溝の中央部に設けられ、前記光ファイバテープ心線の心線幅のほぼ半分の心線幅を有した１／２光ファイバテープ心線を支持する第２支持溝と、
前記一対の工具ベースのうち他方の工具ベースに設けられた分離刃とを備えてあって、
前記一対の工具ベースを閉じることにより前記分離刃によって前記第１支持溝に支持された前記光ファイバテープ心線における前記被覆層の中央部に対して切込みを与える第１調節状態と、前記一対の工具ベースを閉じることにより前記分離刃によって前記第２支持溝に支持された前記１／２光ファイバテープ心線における前記被覆層の中央部に対して切込みを与える第２調節状態とに切替え可能に構成してなることを特徴とする。
【００１３】
請求項２に記載の発明特定事項によると、前記光ファイバテープ心線を前記第１支持溝に支持させる。そして、前記テープ心線用分離工具が前記第１調節状態の下で、前記一対の工具ベースを閉じることにより前記分離刃によって前記光ファイバテープ心線における前記被覆層の中央部に切込みを与える。これによって、１本の前記光ファイバテープ心線から２本の前記１／２光ファイバテープ心線に分離することができる。なお、前記光ファイバテープ心線における前記被覆層の中央部に切込みを与えた後に、前記一対の工具ベースを開いておく。以上により、第１分離工程が終了する。
【００１４】
前記第１分離工程が終了した後に、前記テープ心線用分離工具を前記第１調節状態から前記第２調節状態に切替える。また、前記２本の１／２光ファイバテープ心線のうち一方の１／２光ファイバテープ心線を前記第２支持溝に支持させる。そして、前記一対の工具ベースを閉じることにより前記分離刃によって前記一方の１／２光ファイバテープ心線における前記被覆層の中央部に切込みを与える。更に、前記２本の１／２光ファイバテープ心線のうち他方の１／２光ファイバテープ心線に対しても同様の作用を施す。これによって、前記２本の１／２光ファイバテープ心線を２本の前記光ファイバ心線にそれぞれ単心分離することができ、換言すれば、前記光ファイバテープ心線を４本の前記光ファイバ心線に単心分離することができる。なお、前記１／２光ファイバテープ心線における前記被覆層の中央部に切込みを与えた後に、前記一対の工具ベースを開いておく。以上により、第２分離工程が終了する。
【００１５】
請求項３に記載の発明特定事項にあっては、請求項１又は請求項２に記載の発明特定事項の他に、前記第１調節状態と前記第２調節状態に切替え可能にするため、前記分離刃の前記他方の工具ベースの取付面に対する突出量を調節可能に構成してなることを特徴とする。
【００１６】
請求項３に記載の発明特定事項によると、請求項１又は請求項２に記載の発明特定事項による作用の他に、前記テープ心線用分離工具を前記第１調節状態から前記第２調節状態に切替える場合には前記分離刃の前記突出量を大きくする。また、前記テープ心線用分離工具を前記第２調節状態から前記第１調節状態に切替える場合には前記分離刃の前記突出量を小さくする。
【００１７】
請求項４に記載の発明特定事項にあっては、請求項１又は請求項２に記載の発明特定事項の他に、前記第１調節状態と前記第２調節状態に切替え可能にするため、前記一対の工具ベースを閉じたときにおける前記他方の工具ベースの前記一方の工具ベースに対する閉位置を調節可能に構成してなることを特徴とする。
【００１８】
請求項４に記載の発明特定事項によると、請求項１又は請求項２に記載の発明特定事項による作用の他に、前記テープ心線用分離工具を前記第１調節状態から前記第２調節状態に切替える場合には前記他方の工具ベースの閉位置を前記一方の工具ベースに少し近づけるように調節する。また、前記テープ心線用分離工具を前記第２調節状態から前記第１調節状態に切替える場合には前記他方の工具ベースの閉位置を前記一方の工具ベースに少し遠ざけるように調節する。
【００１９】
【発明の実施の形態】
以下、本発明の実施の形態について図面を参照して説明する。
【００２０】
図１（ａ）は、第１調節状態にある本発明の実施の形態に係わるテープ心線用分離工具の要部を示す図であって、図１（ｂ）は、第２調節状態にある本発明の実施の形態に係わるテープ心線用分離工具の要部を示す図であって、図２は、本発明の実施の形態に係わるテープ用心線分離工具の正面図である。
【００２１】
図１（ａ）（ｂ）及び図２に示すように、本発明の実施の形態に係わるテープ心線用分離工具２３は、図３に示すような光ファイバテープ心線３を４本の光ファイバ心線９に分離するために用いられる工具である。
【００２２】
テープ心線用分離工具２３は開閉可能な一対の工具ベース２５，２７を備えてあって、一方の工具ベース２５の基部と他方の工具ベース２７の基部は連結軸２９によって揺動可能に連結されている。ここで、図示は省略してあるが、一対の工具ベース２５，２７は図示省略のスプリングによって開方向へ付勢されている。　ここで、他方の工具ベース２７は一方の工具ベース２５に対して図中において上下方向へ揺動可能であるが、上下方向へ直線移動できるようにしても差し支えない。
【００２３】
また、一方の工具ベース２５の先端側には光ファイバテープ心線３を支持する第１支持溝３１が設けられおり、この第１支持溝３１の溝幅は光ファイバテープ心線３の心線幅とほぼ同じになるように構成してある。一方の工具ベース２５の先端側における第１支持溝３１の底部には光ファイバテープ心線３のほぼ半分の心線幅を有した１／２光ファイバテープ心線３ｈを支持する第２支持溝３３が設けられており、この第２支持溝３３の溝幅は１／２光ファイバテープ心線３ｈの心線幅とほぼ同じになるように構成してある。ここで、１／２光ファイバテープ心線３ｈとは、本発明の実施の形態にあっては、一括被覆層７を備えた分割ファイバテープ心線５のことをいう。
【００２４】
ここで、第１支持溝３１とは、両側壁を有する溝の他に、光ファイバテープ心線９の一側面を支持する複数の一側面用支柱と光ファイバテープ心線９の他側面を支持する複数の他側面用支柱との間に形成されるように前記両側壁を有しないものも含む。
【００２５】
他方の工具ベース２７の先端側には分離刃３５が設けられている。そして、テープ心線用分離工具２３は、一対の工具ベース２５，２７を閉じることにより分離刃３５によって第１支持溝３１に支持された光ファイバテープ心線３における一括被覆層７の中央部に対して切込みを与える第１調節状態と、一対の工具ベース２５，２７を閉じることにより分離刃３５によって第２支持溝３３に支持された１／２光ファイバテープ心線３ｈにおける被覆層７，１１（一括被覆層７と分割一括被覆層１１）の中央部に対して切込みを与える第２調節状態とに切替え可能に構成してある。更に、テープ心線用分離工具２３を前記第１調節状態と前記第２調節状態に切替えるため、他方の工具ベース２７の先端側には分離刃３５の他方の工具ベース２７の取付面２７ｆに対する突出量を調節する一対の調節ピン３７が設けられている。
【００２６】
これによって、テープ心線用分離工具２３を前記第１調節状態から前記第２調節状態に切替える場合には一対の調節ピン３７を移動操作して分離刃３５の前記突出量を大きくする。また、テープ心線用分離工具２３を前記第２調節状態から前記第１調節状態に切替える場合には一対の調節ピン３７を移動操作して分離刃３５の前記突出量を小さくする。
【００２７】
ここで、一対の調節ピン３７を長手方向へ移動操作することによって分離刃３５の前記突出量を調節できるように適宜の手段を介して構成されていれば足り、一対の調節ピン３７が他方の工具ベース２７に螺合されているか否か、一対の調節ピン３７が分離刃３５と一体的に連結されているか否かは問わないものである。
【００２８】
また、テープ心線用分離工具２３を前記第１調節状態と前記第２調節状態に切替えるため、分離刃３５の前記突出量を調節する代わりに、適宜のストッパ（図示省略）を用いて一対の工具ベース２５，２７を閉じたときにおける他方の工具ベース２７の一方の工具ベース２５に対する閉位置を調節可能に構成しても差し支えない。なお、前記適宜のストッパは一対の工具ベース２５，２７のうちいずれかに高さ調節可能に設けられてあって、他方の工具ベース２７の閉方向の揺動を規制するものである。
【００２９】
これによって、テープ心線用分離工具２３を前記第１調節状態から前記第２調節状態に切替える場合には前記適宜のストッパを移動操作して他方の工具ベース２７の閉位置を一方の工具ベース２５に少し近づけるように調節する。また、テープ心線用分離工具２３を前記第２調節状態から前記第１調節状態に切替える場合には前記適宜のストッパを移動操作して他方の工具ベース２７の閉位置を一方の工具ベース２５に少し遠ざけるように調節する。
【００３０】
次に、本発明の実施の形態の作用について図面を参照して説明する。
【００３１】
光ファイバテープ心線３を第１支持溝３１に支持させる。そして、テープ心線用分離工具２３が前記第１調節状態の下で、一対の工具ベース２５，２７を閉じることにより分離刃３５によって光ファイバテープ心線３における一括被覆層７の中央部に切込みを与える。これによって、１本の光ファイバテープ心線３から２本の１／２光ファイバテープ心線３ｈに分離することができる。なお、光ファイバテープ心線３における一括被覆層７の中央部に切込みを与えた後に、一対の工具ベース２５，２７を開いておく。以上により、第１分離工程が終了する。
【００３２】
前記第１分離工程が終了した後に、テープ心線用分離工具２３を前述のように前記第１調節状態から前記第１調節状態から前記第２調節状態に切替える。また、２本の１／２光ファイバテープ心線３ｈのうち一方の１／２光ファイバテープ心線３ｈを第２支持溝３３に支持させる。そして、一対の工具ベース２５，２７を閉じることにより分離刃３５によって一方の１／２光ファイバテープ心線３ｈにおける括被覆層７，１１の中央部に切込みを与える。更に、２本の１／２光ファイバテープ心線３ｈのうち他方の１／２光ファイバテープ心線３ｈに対しても同様の作用を施す。これによって、２本の１／２光ファイバテープ心線３ｈを２本の光ファイバ心線９にそれぞれ単心分離することができ、換言すれば、光ファイバテープ心線３を４本の光ファイバ心線９に単心分離することができる。なお、１／２光ファイバテープ心線３ｈにおける被覆層７，１１の中央部に切込みを与えた後に、一対の工具ベース２５，２７を開いておく。以上により、第２分離工程が終了する。
【００３３】
以上の如き、本発明の実施の形態によれば、別の種類のテープ心線用分離工具を用いることなく、１本の光ファイバテープ心線３から２本の１／２光ファイバテープ心線３ｈに分離する他に、２本の１／２光ファイバテープ心線３ｈを２本の光ファイバ心線９にそれぞれ単心分離することができるため、工具の個数を減らして工具コストの低下を図ることができると共に、工具交換に要する時間を削減して光ファイバテープ心線３の分離作業の能率を向上させる。
【００３４】
なお、本発明は、前述の発明の実施の形態の説明に限るものではなく、例えば、分割型光ファイバテープ心線３を分離する場合に限らず、分割型以外の通常の光ファイバテープ心線を分離する場合にも適用できるものである。また、光ファイバテープ心線３は４心に限らず、６心、８心等であっても差し支えない。更に、光ファイバテープ心線４の分離作業は主として光ファイバケーブルの端末側で行われるが、光ファイバケーブルの中間で行うようにしてもよい。
【００３５】
【発明の効果】
請求項１から請求項４のうちいずれかの請求項に記載の発明によれば、別の種類のテープ心線用分離工具を用いることなく、１本の前記光ファイバテープ心線から２本の前記１／２光ファイバテープ心線に分離する他に、前記２本の１／２光ファイバテープ心線を前記２本の心線（前記テープ心線又は光ファイバ心線）にそれぞれ分離することができるため、工具の個数を減らして工具コストの低下を図ることができると共に、工具交換に要する時間を削減して前記光ファイバテープ心線の分離作業の能率を向上させる。
【図面の簡単な説明】
【図１】図１（ａ）は、第１調節状態にある本発明の実施の形態に係わるテープ心線用分離工具の要部を示す図であって、図１（ｂ）は、第２調節状態にある本発明の実施の形態に係わるテープ心線用分離工具の要部を示す図である。
【図２】本発明の実施の形態に係わるテープ用心線分離工具の正面図である。
【図３】光ファイバテープ心線の断面図である。
【図４】従来のテープ心線用分離工具の正面図である。
【図５】従来のテープ心線用分離工具の要部を示す図である。
【符号の説明】
３　　光ファイバテープ心線
５　　分割ファイバテープ心線
７　　一括被覆層
９　　光ファイバ心線
１１　分割一括被覆層
２３　テープ心線用分離工具
２５　工具ベース
２７　工具ベース
３１　第１支持溝
３３　第２支持溝
３５　分離刃
３７　調節ピン
【図１】
2004070060.tif 000003
【図２】
2004070060.tif 000004
【図３】
2004070060.tif 000005
【図４】
2004070060.tif 000006
【図５】
2004070060.tif 000007